(57)【要約】      （修正有）【課題】プランターの様に手軽に栽培出来る水耕栽培装置を提供する。【解決手段】培養液貯水槽４を上段に培養液水槽１を下段とし、上段には、間欠式サイフォン排水装置５を設置し、綿状の物や砂、石、ペレット状のプラスチック等の吸水性のない素材を土の代わりに備え、下段には培養液を溜め、循環用ポンプ２にて、培養液水槽に注ぎ込み、培養液が培養液貯水槽を満たすと間欠式サイフォン排水装置が作動し、吸気排水位調整管８の先端まで排出されると先端から空気が吸気され、間欠式サイフォン排水装置内に空気が入り培養液貯水槽の排水が止まる事を特徴とする間欠式サイフォン水耕栽培装置。【選択図】図１
2016116479.tif 000002
【特許請求の範囲】
【請求項１】
培養液貯水槽を上段に培養液水槽を下段とし、上段には、間欠式サイフォン排水装置を設置し、綿状の物や砂、石、ペレット状のプラスチック等の吸水性のない素材を土の代わりに備え、下段には培養液を溜め、循環用ポンプにて、培養液水槽の上部より注ぎ込み、培養液が培養液貯水槽を満たすと間欠式サイフォン排水装置が作動し、培養液が吸気排水位調整管の先端まで排出されると先端から空気が吸気されて、間欠式サイフォン排水装置内に空気が入る事で培養液貯水槽の排水が完全に止まる事を特徴とする間欠式サイフォン水耕栽培装置。
【発明の詳細な説明】
【技術分野】
【０００１】
本発明は、土の代わりに綿状の物や砂、石、ペレット状のプラスチック等の吸水性のない素材を培地とし、間欠式のサイフォンの原理を利用した植物を育てる為の水耕栽培装置に関するものである。            
【背景技術】
【０００２】
従来、水耕栽培装置は、常に根っこが培養液に満たされる事から根ぐされを防ぐために、エアレーションや培養液を循環させたり、噴霧状にして、吹き付ける事で根っこへの病気を防ぐ装置があった。
なお、植物の成長を促進させることができると共に、植物の品質及び生産量の安定化を図ることが出来る栽培装置が知られている。（特許文献１参照）。
【先行技術文献】
【特許文献】
【０００３】
【特許文献１】特許出願平８−２３６７６４
【発明の概要】
【発明が解決しようとする課題】
【０００４】
一般の水耕栽培装置は、根っこの病気を防ぐために、根っこが培養液で浸かっている場合には、定期的な培養液の交換やエアレーションをする方法、培養液を循環させる方法等があり、また噴霧状にして根っこに吹き付けたりする方法等様々なやり方があるがどの方法も、プランターの様に手軽に栽培できる物はなかった。
本発明は、以上の問題点を解決するためになされたものである。
【課題を解決するための手段】
【０００５】
水槽を上下に置き、上段となる培養液貯水槽には、間欠式サイフォン排水装置を設置し、水槽の中に苗や種等を育てる為に綿状の物や砂、石、ペレット状のプラスチック等の吸水性のない素材を培地として備え、育てる作物の根っこに合わせて培地の量や培地の素材の組み合わせを調整する。下段には培養液水槽に培養液を溜め、循環用ポンプを使用し、培養液給水ホースにて、培養液貯水槽の上部より注ぎ込む。培養液が培養液貯水槽を満たすと間欠式サイフォン排水装置が作動し、培養液排水口から培養液排水管に流れ込み培養液水槽に排水が開始される。排水は培養液が吸気排水位調整管の先端まで排出されると先端から空気が吸気される事により、間欠式サイフォン排水装置内に空気が入る事で培養液貯水槽の排水が完全に止まり、再度培養液が培養液貯水槽を満すと排水される。この動作が繰り返される事で植物の栽培をする事が出来る。
以上の構造によりなる間欠式サイフォン水耕栽培装置。
【発明の効果】
【０００６】
従来、水耕栽培は、プランター栽培の様に土を使った植物の栽培は難しかったが、本発明によって、土の代わりとなる綿状の物や砂、石、ペレット状のプラスチック等の吸水性のない素材を培地として使用する事で植物は根っこを大地に張る効果と同じ作用となり、また、培養液貯水槽の培養液を給排水する動作を繰返す事で根っこを空気に触れさせると共に培養液の循環が出来る事から根っこを病気から防ぐ事が出来るので水耕栽培でありながら、プランター栽培の感覚で植物の栽培が出来る様になった。
【図面の簡単な説明】
【０００７】
【図１】本発明の側面端面図
【図２】本発明の上面端面図
【発明を実施するための形態】
【０００８】
以下、本発明の実施の形態を説明する。
培養液水槽（１）と培養液貯水槽（４）は培養液を溜める水槽であり、この水槽の形状は、図２では四角柱と示しているが形状を変えた場合でも、効果は同じであり、また、培養液水槽（１）の大きさは、培養液貯水槽（４）内を培養液で十分満たせる事が出来る物を使用しても効果は同じである事から、培養液貯水槽（４）と培養液水槽（１）の大きさは同じ物を使用しなくとも同等の効果がみられる。
【０００９】
培養液貯水槽（４）内には、植物の根っこを大地に張る役目と同等の効果を得るために土の代わりとなる綿状の物や砂、石、ペレット状のプラスチック等の吸水性のない素材を使用する事で植物が培地に根っこを張り、根っこで苗を支える事が出来る為、土を使用したプランター栽培の感覚で植物の生育を行う事が可能となった。また、培地の素材は、組み合わせる事で根菜類の野菜も成育出来る様になり、水耕栽培でありながら、プランターの様な土を使用した感覚で栽培する事が出来る。
【００１０】
培養液水槽（１）に培養液を溜め、培養液を循環ポンプ（２）にて、培養液給水ホース（３）を通し、培養液貯水槽（４）の上部より培養液を注ぎ込む。
【００１１】
循環ポンプ（３）は、図２では培養液水槽（１）の外側に設置しているが培養液水槽（１）内に水中ポンプを設置した場合でも、循環ポンプ（２）としての同等の効果がみられる。
また、常に循環ポンプ（３）は、培養液を循環させるが、間欠式サイフォン排水装置（５）の排水量を超えない水量で給水出来る水量の循環ポンプ（３）を利用するか、もしくは、排水量の調整が出来る循環ポンプ（３）を利用する。
【００１２】
培養液貯水槽（４）の上部より注ぎ込まれた培養液は、培養液貯水槽（４）と共に間欠式サイフォン排水装置（５）が培養液に満たされ始めると培養液排水口（６）を通り、培養液排水管（７）から、培養液水槽（１）に排水が始まる。
【００１３】
培養液水槽（１）に間欠式サイフォン排水装置（５）の排水が始まると間欠式サイフォン排水装置（５）内の空気も一緒に排出され、空気が完全に排気し終わるとサイフォンの原理により、培養液の排水が開始される。
【００１４】
培養液の排出によって、培養液貯水槽（４）の培養液の液面が下がり始め、吸気排水位調整管（８）の先端部分に液面が達すると先端部分より空気が吸気される事で間欠式サイフォン排水装置（５）内に空気が入り、排水が完全に停止します。
【００１５】
吸気排水位調整管（５）は、先端部分の高低差を変える事で、培養液貯水槽（４）内の培養液の残水量を調整する目的としている事から、多くの培養液を残したいならば、高めに調整し、完全に排水をしたいならば、培養液排水口（６）付近まで下げる事で完全に排水する事が出来る。
【００１６】
間欠式サイフォン水耕栽培装置は、培養液水槽（１）から循環用ポンプ（２）そして、培養液貯水槽（４）を通り、間欠式サイフォン排水装置（５）から排出される事を繰返される事で植物を生育させる事が出来る環境と共に、根っこの病気等を防ぐ事を目的とする事で間欠式サイフォン水耕栽培装置とする。
【符号の説明】
【００１７】
１培養液水槽、２循環ポンプ、３培養液給水ホース、４培養液貯水槽、
５間欠式サイフォン排水装置、６培養液排水口、７培養液排出管、８吸気排水位調整管
【図１】
2016116479.tif 000003
【図２】
2016116479.tif 000004